(57)【要約】【課題】血管注射を臨場感のある状態で、効果的に練習することができる注射練習具を提供する。【解決手段】全体として略かまぼこ状に形成する本体１の上面に模擬筋肉層２を貼着し、模擬筋肉層２の上に模擬血管３を配置し、模擬血管の上方を覆って模擬皮膚層４を配置し、模擬皮膚層４の上から注射の練習をする。模擬皮膚層４は、枠体５に張設し、枠体５を本体１上面に押圧することによって、模擬血管３を模擬筋肉層２と模擬皮膚層４とで挟み込む。模擬血管３は、模擬血液を密封した模擬血液バック６に連結し、模擬血液バック収容部７に収容した模擬血液バック６を押さえ具８で圧迫することによって、模擬血液バック及び模擬血管内の模擬血液の圧力を上昇させ、一定の安定した怒張状態を実現する。【選択図】  図１
2014153482.tif 000002
【特許請求の範囲】
【請求項１】
縦長で幅方向の中心部が突弧状に膨出して、全体として略かまぼこ状に形成する本体の上面に模擬筋肉層を貼着し、該模擬筋肉層の上に模擬血管を配置し、該模擬血管の上方を覆って模擬皮膚層を配置する注射練習具において、
模擬皮膚層は、本体の上面に配置した枠体に張設し、枠体を本体上面に押圧することによって、模擬血管を模擬筋肉層と模擬皮膚層とで挟み込むとともに、
模擬血管は、天然ゴムなどの柔軟な材質で形成する先端が閉塞された管状とし、開放端を柔軟な材質で形成し模擬血液を密封した模擬血液バックに連結し、
本体の長手方向の一端部に、前記模擬血液バックを収容する模擬血液バック収容部を形成し、該模擬血液バック収容部に収容した模擬血液バックから模擬血管を模擬筋肉層上に延長させ、本体の模擬血液バック収容部には、収容した模擬血液バックの押え具を設け、  該押さえ具によって模擬血液バックを圧迫することによって、模擬血液バック及び模擬血管内の模擬血液の圧力を上昇させることができるようにしたことを特徴とする注射練習具。
【請求項２】
枠体は、本体の外表面に沿う形状であって長手方向の側縁部分に本体への固定手段を設け、本体１に対して着脱自在とするとともに、該固定手段よりも内方部分に折り曲げ線を形成し、該折り曲げ線に沿って折曲することによって模擬皮膚層を張設した枠部分を、本体上面に向けて開閉自在とし、前記折り曲げ線と反対の側縁部分に、本体に対して係脱自在の係止手段を設けたことを特徴とする請求項１記載の注射練習具。
【請求項３】
本体に形成する模擬血液バック収容部は、本体に貼着する模擬筋肉層の長手方向位置に隣接させて一定幅の傾斜部として形成し、該模擬血液バック収容部に模擬血液バックを収容して、模擬血液バックから先方に向けて突出する模擬血管を模擬筋肉層上に延長させて配置し、模擬血液バック収容部には、模擬血液バック収容部の基端部を支点として回動し、回動方向前面に形成した押圧面によって模擬血液バックを圧迫する押さえ具を配置することを特徴とする請求項１又は２記載の注射練習具。
【請求項４】
模擬血液バックが位置ズレを生じることがないように、模擬血液バック収容部の底面に模擬血液バックの平面形状と一致する凹所を形成することを特徴とする、請求項３記載の注射練習具。
【請求項５】
略かまぼこ形とする本体は、底面が開放される殻状に形成し、本体の底面に柔軟な材質の裏蓋を装着し、該裏蓋に注射器などの用具を収容する収納部を形成したことを特徴とする請求項１ないし４のいずれかに記載の注射練習具。
【発明の詳細な説明】
【技術分野】
【０００１】
本発明は、医師、看護師など医療関係者用の注射練習具に関し、より詳しくは、現実の注射感覚に近い状態を再現し、練習効果を向上させる注射練習具の構造に係る発明である。
【背景技術】
【０００２】
注射は、医師や看護師などの医療関係者にとって、必要不可欠の技術でありその技量不足は、直ちに看者に苦痛を与えるものである。ところが、注射技術の向上は、従来医療関係者各自の経験の積み重ねに依存するところが大きく、効果的な訓練を行なう注射練習具がなかった。
特許文献１には、下層の模擬筋肉層と上層の模擬筋肉層の間に模擬血管を配置し、上層の模擬筋肉層の上から注射針を刺す、注射練習器具の発明が開示されている。特許文献２には、スポンジを備えたベースと、ゲル材を備えた人工皮膚の間に人工血管を配置し、人工皮膚の上から針を刺入させる血管注射シミュレータの発明が記載され、駆血帯を用いることによって怒張状態（うっ血状態）を模擬できるという思想が開示されている。
特許文献１に記載された発明は、模擬筋肉層としてポリウレタンゲル材、模擬血管としてポリウレタン材を採用することによって、丈夫で人体の感触に近い状態の注射練習具を実現できるというものである。
【先行技術文献】
【特許文献】
【０００３】
【特許文献１】特開２００７−２０６３７９号公報
【特許文献２】実開平１０−１６１５２２号公報
【発明の概要】
【発明が解決しようとする課題】
【０００４】
特許文献１に記載された、注射練習具では、模擬筋肉層として半流動性を有するポリウレタンゲル材を使用する。ゲル材を使用するため、必ずしも取扱いが容易でない。例えば、上層模擬筋肉層は、袋状体の内部にポリウレタンゲル材を充填しているため、製造が容易ではないとともに、注射針は袋状体を貫通させて模擬血管を刺すため、繰り返し長期間使用することは困難である。また、現実の駆血帯を用いて怒張させた状態を再現することはできなかった。
特許文献２に記載された発明では、駆血帯を用いて怒張させた状態を再現することができるというものであるが、模擬血管（人工血管）を駆血帯で縛るだけでは、血管の内圧を十分に上昇させることができないため、臨場感のある状態を再現することが困難であった。
【０００５】
上記、従来技術の欠点に鑑み、模擬血管に内圧が掛かった怒張状態を簡単に実現し臨場感のある状態で練習し、より練習効果を向上させることができる注射練習具を実現することを目的とする発明である。
また、本発明の別の目的は、取扱いが容易で例えば一定の怒張状態を確実に再現することができるとともに、使用前の準備や使用後の後始末が簡単な注射練習具を提供することを目的とするものである。
【課題を解決するための手段】
【０００６】
上記目的を達成する請求項１記載の発明は、縦長で幅方向の中心部が突弧状に膨出して、全体として略かまぼこ状に形成する本体１の上面に模擬筋肉層２を貼着し、模擬筋肉層２の上に模擬血管３を配置して、模擬血管３の上方を模擬皮膚層４で覆って、その上から注射針を刺入させて、注射の練習を行なうものである。
模擬血管３の上方を覆う模擬皮膚層４は、本体１の上面に配置する枠体５に張設し、枠体５を本体１の上面に押圧することによって、模擬血管３を模擬筋肉層２と模擬皮膚層４とで挟み込む。
【０００７】
模擬血管３は、天然ゴムなどの柔軟な材質で形成する先端が閉塞された管状とし、開放端を模擬血液バック６に連結する。模擬血液バック６は、柔軟な材質で形成し模擬血液を密封したものである。
本体１の長手方向の一端部に、前記模擬血液バック６を収容する模擬血液バック収容部７を形成する。この、模擬血液バック収容部７に収容した模擬血液バック６から模擬血管３を模擬筋肉層２上に延長させる。本体１の模擬血液バック収容部７には、収容した模擬血液バック７の押え具８を設け、該押さえ具８によって模擬血液バック６を圧迫することによって、模擬血液バック６及び模擬血管３内の模擬血液の圧力を上昇させることができるようにする。
【０００８】
請求項２記載の発明は、枠体の具体的構造に関する発明である。
枠体５は、本体１の外表面に沿う形状とする。本体１の外表面に沿う形状である枠体５の、長手方向の側縁部分に本体への固定手段を設け、本体１に対して着脱自在とする。枠体５には、前記固定手段よりも内方部分に折り曲げ線９を形成し、該折り曲げ線９に沿って折曲することによって模擬皮膚層４を張設した枠部分を、本体１上面に向けて接離自在とする。
前記折り曲げ線９と反対の側縁部分に、本体１に対して係脱自在の係止手段、すなわち、枠体５を本体表面に押圧した状態でロックするロック手段を設ける。
【０００９】
請求項３記載の発明は、模擬血液バック収容部７の構造に関するものである。本体１に形成する模擬血液バック収容部７は、本体１の表面に貼着する模擬筋肉層４の長手方向位置に隣接させて一定幅の傾斜部として形成する。この、模擬血液バック収容部７に模擬血液バック６を収容して、模擬血液バック６から先方に向けて突出する模擬血管３を模擬筋肉層２上に延長させて配置する。模擬血液バック収容部６には、模擬血液バック収容部７の基端部を支点として回動し、回動方向前面に形成した押圧面8aによって模擬血液バック６を圧迫する押え具８を配置することである。
【００１０】
請求項４記載の発明は、模擬血液バック６が模擬血液バック収容部７において位置ズレを生じることがないように、模擬血液バック収容部７の底面に模擬血液バック６の平面形状と一致する凹所10を形成することである。
請求項５記載の発明は、略かまぼこ形とする本体１を、底面が開放される殻状に形成し、本体１の底面に柔軟な材質の裏蓋11を装着し、該裏蓋11に注射器などの用具を収容する収納部12を形成することである。
【発明の効果】
【００１１】
請求項１記載の発明によれば、模擬血液バック６を本体１の模擬血液バック収容部７に収容し、模擬血管３を模擬筋肉層２上に任意の形状に配置し、枠体５を被せることによって注射練習可能な状態に簡単にセットすることができる。そして、練習中に枠体５を開くことによって血管と針の位置関係などを目視することができる。
模擬血液バック収容部７には、模擬血液バック６の押え具８を備えているため、押え具８で模擬血液バック６を圧迫することによって、駆血帯による怒張状態を簡単かつ確実に再現することができる。このようにして実現する怒張状態は、模擬血液バック６を圧迫して内圧を上昇させるものであるため、十分な量の模擬血液によって実際の血管注射の場合と同じように、シリンジ内への逆血現象をも再現することができる。
【００１２】
模擬血液バック６は、模擬血管３を接続し模擬血液を内部に充填した密封状態で提供し、使い捨てとすることによって、注射練習具の準備や後始末の時間を大幅に削減し効果的な練習を行なうことができる。模擬血液バック６は安価に提供することができるため、維持コストを低減することができる。
もっとも、模擬血液バック６は再利用することも可能である。すなわち、模擬血管３は使用によって注射針によって穿孔されているため廃棄し、模擬血液バック、すなわち模擬血液ケース14のみを回収し、模擬血液を充填するとともに、新たな模擬血管３を接続することによって再利用することができる。
【００１３】
請求項２記載の発明によれば、模擬皮膚層４を張設した枠体５を本体１に対して着脱自在とする。これにより、異なる材質の模擬皮膚層を張設した複数種類の枠体を準備しておき、枠体５を取り替えるだけで異なる皮膚感覚の練習を簡単に行うことができる。また、使用者が枠体だけを所有し、共同使用の本体に適宜取付けて使用することもできる。
模擬筋肉層２の上に模擬血管３を配置し、上方から枠体５を被せる場合に、枠体５の折り曲げ線で折り曲げる事（リビングヒンジを形成する）によって、枠部分を簡単に開閉し、係止手段によって押圧状態を維持し、安心して注射練習を行うことができる。
【００１４】
請求項３記載の発明によれば、模擬血液バック６を本体１に簡単に装着することができるとともに、押え具として模擬血液バック収容部７の基端部を支点として回動する押え具を操作することによって一定の怒張状態を実現することができ、注射の練習に集中することができる。
【００１５】
請求項４記載の発明によれば、模擬血液バック６を模擬血液バック収容部７の所定位置に確実に配置し、模擬血液バッグの装着を能率的に行なうことができる。
請求項５記載の発明によれば、本体１の裏蓋11に形成した収納部12に、シリンジ、注射針、模擬血液バックなど実習に必要なものを一つに纏めておくことができる。
【図面の簡単な説明】
【００１６】
【図１】図１は、本発明に係る注射練習具の実施携帯であって、模擬皮膚層の枠体を開いた状態を示す斜視図、
【図２】図２は、図１の模擬血液バックを取り除いた斜視図、
【図３】図３は、模擬皮膚層の枠体を閉じた状態を示す斜視図、
【図４】図４は、模擬皮膚層の枠体を開いた状態を示す平面図、
【図５】図５は、図４のＶ−Ｖ線断面図、
【図６】図６は、図４のVI−VI線断面図、
【図７】図７は、枠体のみの平面図、
【図８】図８は、枠体のみの側面図、
【図９】図９は、模擬血液バックの斜視図、
【図１０】図１０は、本体の押え具装着部分の縦断面図である。
【発明を実施するための形態】
【００１７】
以下、本発明に係る注射練習具の実施形態を添付の図面に基づいて説明する。
図１は、本発明に係る注射練習具の実施形態であって、模擬皮膚層の枠体を開いた状態を示す斜視図、図５は、図１の模擬皮膚層の枠体を開いた状態の縦断面図である。
【００１８】
本発明に係る注射練習具は、上面に模擬筋肉層２を貼着する本体１と、擬筋肉層２の上に配置する模擬血管３に連結して模擬血液を供給する模擬血液バック６と、模擬血管３の上方を覆う模擬皮膚層４を張設する枠体５を備えている。そして、本体１の模擬筋肉層２の上に模擬血管３を配置し、模擬血管３の上を枠体５に張設した模擬皮膚層４で覆い、模擬皮膚層４の上方から模擬血管３に注射針を刺して、血管注射の練習をするものである。
【００１９】
本体１は、ＡＢＳ樹脂など丈夫な合成樹脂材を用い、縦長で幅方向の中心部を突弧状に膨出させて、全体としてかまぼこ状に成型する。この本体形状は、腕や脚の曲面形状に類似するため練習効果を向上させることができる。そして、本体１は全体として下方に開放される殻状とし、開放される下面には裏蓋11を装着する。
【００２０】
かまぼこ状に膨出する本体１の長手方向中央部表面には、例えば低発泡ウレタンといった、筋肉の感触を再現する低発泡素材の模擬筋肉層２を貼着する。模擬筋肉層２を貼着する範囲は、図１に示すように本体上面の注射練習をするのに十分な広さとする。模擬筋肉層２を貼着する範囲の中央領域には、段部13を形成して模擬筋肉層２を幾分持ち上げ、上から押圧する模擬皮膚層４が密着し易いように考慮している。
【００２１】
模擬筋肉層２の上に配置する模擬血管３は、使い捨ての模擬血液バック６として供給する。図９に示すように、模擬血液バック6は、模擬血液を収容することができる、例えば塩化ビニール製の模擬血液ケース14に模擬血管３を接続する。模擬血液ケース14は、図面上方形の袋(ケース)の基端部に扁平な突出部15を形成し、先方に向けて連結管(塩ビチューブ)16を突出させ、該連結管16に天然ゴムなどで形成する盲筒状の模擬血管３を接続し、この続部分に円筒状の固定リング17(塩ビチューブ)を装着して一体化する。模擬血液ケース14に充填する模擬血液は、赤く着色し臨場感を持たせるとともに、模擬血管を含めその内部に空気が入らない状態で密封しておき、模擬血液バック６全体を密封包装しておくのが好ましい。模擬血液バック６や模擬血管３内に空気が入らない状態としておくことによって、練習者が針を刺した時、液体と空気が混じりあって泡がシリンジ内に入るのを防止することができる。
また、模擬血液バック６を完全な密封包装とすることによって、模擬血液バック６、特に天然ゴムである模擬血管３の劣化を防止することができる。
【００２２】
本体１の基端部には、模擬筋肉層２に隣接させて模擬血液バック収容部７を配置する。模擬血液バック収容部７は、模擬血液ケース14が入り込む幅の凹所であって、模擬筋肉層２の貼着面から基方に向けて下がる傾斜面に形成し、傾斜面に配置した模擬血液バック６から突出する模擬血管３を、自然な状態で模擬筋肉層２の上に配置することができるようにしている。
【００２３】
模擬血液バック収容部７の表面(底面)には、模擬血液バックを定位置にセットすることができるように、模擬血液バック６の模擬血液ケース14の形状と一致する形状の凹所10を設けている(図２)。また、凹所10の内奥(基端部)には、模擬血液ケース14から突出させた突出部15が入り込むスリット18を設けている。この、凹所10及びスリット18によって、模擬血液バッグ６を模擬血液バック収容部７の所定位置に確実にセットすることができる効果がある。
【００２４】
模擬血液バック収容部７には、模擬血液バック６、具体的には模擬血液バック６の模擬血液ケース14を押圧する押え具８を配置する。押え具８は、基端部を模擬血液バック収容部７の基端部に軸19で支持することによって、先方に向けて回動自在とする。押え具８の底面には、模擬血液バッグ６を効果的に押圧することができるように、押圧面8aを形成している。図示実施形態の押圧面8aは、複数の細幅端面によって形成している。
【００２５】
上記構成とすることにより、押え具８を前方（先方）に回動させると、押圧面8aが模擬血液収容部７の凹所10に配置している模擬血液バッグ６、具体的には模擬血液バック６の模擬血液ケース14を上方から圧迫し、その内部に充填している模擬血液の内圧を上昇させる。この内圧上昇は、模擬血管３内の模擬血液も同じであり、現実の怒張状態と似た状態を実現する。
押え具８の先端には係止爪20、20を設け、係止爪20、20を本体1に形成した係止部21，21に係合させることによって、一定内圧の怒張状態を維持することができるようにしている。怒張状態を解除するには、係止爪による係止状態を解除し、押え具８を上方に回動させる。
【００２６】
模擬筋肉層２の上に配置する模擬血管３は、練習者の技量に応じて直線状や蛇行状態に配置する。
模擬血管３の上方は模擬皮膚層４によって覆う。模擬血管３の上方を覆う模擬皮膚層４は、本体１の上面に配置する枠体５に張設しておき、枠体５を本体１の上面に押圧することによって、模擬血管３を模擬筋肉層２と模擬皮膚層４とで挟み込む。
【００２７】
模擬皮膚層４を張設する枠体５は、図７、図８から理解されるように、本体１の上面を覆うことができるように、本体上面の湾曲形状と一致する曲面の中央部を切除して枠体とする。そして、図示実施形態の枠体５は、長手方向の側縁部分に本体１への固定手段として、前後二箇所に嵌合突起22、22を設け、この嵌合突起22を本体に形成した取付孔23に嵌入することによって、枠体５全体を本体１に対して着脱自在としている。
【００２８】
枠体５には、前記嵌合突起22、22よりも内方部分の長手方向に、折り曲げ線９を形成し、該折り曲げ線９に沿って折曲することによって模擬皮膚層４を張設した枠部分を本体１上面に向けて接離自在、すなわち開閉自在とする。そして、枠体５で本体１の上面を覆って押圧状態とすることによって、模擬皮膚層４の下に模擬血管３が存在している注射の練習状態を実現する。
枠体５の前記嵌合突起22、22を設けた側縁と反対側の側縁には、係脱自在の係止手段として、係止爪24、24を設け、この係止爪24を本体1の側面に形成した係止孔25，25に係止させることによって、枠体５を本体表面に押圧させた状態を維持することができる。
【００２９】
模擬皮膚層４は、使用(練習)によって針孔が穿孔される。したがって、模擬皮膚層４は適宜交換するのが好ましい。そのため、枠体５を着脱自在とすることによって、例えば枠体５のみを使用者各自が所有して気兼ねなく練習し、本体１を共有とすることができる。
枠体５に模擬皮膚層４を張着するには、練習者の技量に応じて、好みの材質あるいは厚みの模擬皮膚層４を、例えば両面粘着テープを用いて枠体５に貼り付ける。
図面上、26は、枠体を開くためのつまみである。
【００３０】
先に述べたように、殻状に形成し、下方が開放される本体１の底面には裏蓋11を装着する。この裏蓋11は、比較的柔軟で自由に着脱することができるようにエラストマで形成すると、注射の練習をする場合にも滑りにくく安定し、使い勝手のよいものとなる。また、裏蓋11の本体１内に挿入する部分に、ボックス形状の収納部12を形成しておくと、この収納部12に練習に必要なシリンジや注射針を保管しておくことができる。
収納部12は、任意の形状に形成することができるほか、例えば仕切りによって物品ごとの収容部を形成することができる。
【符号の説明】
【００３１】
１…本体、  ２…模擬筋肉層、  ３…模擬血管、  ４…模擬皮膚層、  ５…枠体、  ６…模擬血液バック、  ７…模擬血液バック収容部、  ８…押え具、  8a…押圧面、  ９…折り曲げ線、  10…凹所、  11…裏蓋、  12…収納部、  13…段部、  14…模擬血液ケース、  15…突出部、  16…連結管、  17…固定リング、  18…スリット、  19…軸、  20…係止爪、  21…係止部、  22…嵌合突起、  23…取付孔、  24…係止爪、  25…係止孔、  26…つまみ。
【図１】
2014153482.tif 000003
【図２】
2014153482.tif 000004
【図３】
2014153482.tif 000005
【図４】
2014153482.tif 000006
【図５】
2014153482.tif 000007
【図６】
2014153482.tif 000008
【図７】
2014153482.tif 000009
【図８】
2014153482.tif 000010
【図９】
2014153482.tif 000011
【図１０】
2014153482.tif 000012